(57)【要約】【課題】シールド効果を高めることができるシールド構造を提供する。【解決手段】シールド構造１００では、シールド部材１０は、入力コネクタ部４とノイズ発生部５との間に、Ｚ軸方向における正側へ立ち上がると共に、Ｚ軸方向と交差するＹ軸方向に広がる壁部１１を有する。これに加え、壁部１１は、基板３のスリット部２２を通過して、主面３ｆよりも、Ｚ軸方向の負側へ延びる延長部２４を有する。これにより、壁部１１は、スリット部２２を介して基板３の主面３ｅ側から主面３ｆ側へ延長部２４を延ばすことにより、基板３付近において、基板３とシールド部材１０との間でＺ軸方向における隙間が形成されることを抑制できる。従って、入力コネクタ部４側にノイズの漏れが生じることを抑制できる。また、延長部２４によって、主面３ｆ側においてもシールド効果を得ることができる。【選択図】図３
2020126971.tif 000002
【特許請求の範囲】
【請求項１】
第１の方向における一方側の第１の主面、及び前記第１の方向における他方側の第２の主面を有する基板と、
ノイズを発生するノイズ発生部と、
前記ノイズから保護される被保護部と、
前記被保護部を前記ノイズから保護するシールド部材と、を備えるシールド構造であって、
前記シールド部材は、前記被保護部と前記ノイズ発生部との間に、前記第１の主面よりも、前記第１の方向における前記一方側へ立ち上がると共に、前記第１の方向と交差する第２の方向に広がる壁部を有し、
前記基板は、前記壁部に対応する位置に、前記第２の方向に延びるスリット部を有し、
前記壁部は、前記基板のスリット部を介して、前記第２の主面よりも、前記第１の方向の前記他方側へ延びる延長部を有する、シールド構造。
【請求項２】
前記基板の前記第２の主面と対向し、前記基板を支持するベースプレートを更に備え、
前記延長部の前記第１の方向における前記他方側の端部は、前記ベースプレートの主面に沿って配置される、請求項１に記載のシールド構造。
【請求項３】
前記延長部は、前記第１の方向における前記他方側の端部と、前記第２の方向における側縁部と、を有し、
前記側縁部は、前記基板と前記端部との間において、前記第１の方向に沿って略直線状に延びる、請求項１又は２に記載のシールド構造。
【請求項４】
前記基板の前記第２の主面と対向し、前記基板を支持するベースプレートを更に備え、
前記ベースプレートには、前記ベースプレートの主面から前記基板側へ立ち上がって前記延長部に沿って前記第２の方向に延びる突出部が形成され、
前記突出部は、前記第１の方向及び前記第２の方向と交差する第３の方向において前記延長部と対向するように配置される、請求項１〜３の何れか一項に記載のシールド構造。
【発明の詳細な説明】
【技術分野】
【０００１】
本発明は、シールド構造に関する。
【背景技術】
【０００２】
従来、基板における被保護部を保護するシールドを有するシールド構造として、特許文献１に記載されたものが知られている。このシールド構造では、シールドが基板上にて被保護部を覆っている。
【先行技術文献】
【特許文献】
【０００３】
【特許文献１】特開２０１０−１８４６３７号公報
【発明の概要】
【発明が解決しようとする課題】
【０００４】
ここで、上述のシールド構造では、基板とシールドの壁部との間の隙間からノイズが漏れる場合があった。従って、シールド構造のシールド効果を高めることが求められていた。
【０００５】
本発明は、シールド効果を高めることができるシールド構造を提供することを目的とする。
【課題を解決するための手段】
【０００６】
本発明に係るシールド構造は、第１の方向における一方側の第１の主面、及び第１の方向における他方側の第２の主面を有する基板と、ノイズを発生するノイズ発生部と、ノイズから保護される被保護部と、被保護部をノイズから保護するシールド部材と、を備えるシールド構造であって、シールド部材は、被保護部とノイズ発生部との間に、第１の方向における一方側へ立ち上がると共に、第１の方向と交差する第２の方向に広がる壁部を有し、基板は、壁部に対応する位置に、第２の方向に延びるスリット部を有し、壁部は、基板のスリット部を通過して、第２の主面よりも、第１の方向の他方側へ延びる延長部を有する。
【０００７】
本発明に係るシールド構造では、シールド部材は、被保護部とノイズ発生部との間に、第１の方向における一方側へ立ち上がると共に、第１の方向と交差する第２の方向に広がる壁部を有する。これにより、シールド部材は、基板の第１の主面側にて、被保護部をノイズから保護する。これに加え、壁部は、基板のスリット部を通過して、第２の主面よりも、第１の方向の他方側へ延びる延長部を有する。これにより、壁部は、スリット部を介して基板の第１の主面側から第２の主面側へ延長部を延ばすことにより、基板付近において、基板とシールド部材との間で第１の方向における隙間が形成されることを抑制できる。従って、被保護部側にノイズの漏れが生じることを抑制できる。また、延長部によって、第２の主面側においてもシールド効果を得ることができる。以上により、シールド効果を高めることができる。
【０００８】
シールド構造は、基板の第２の主面と対向し、基板を支持するベースプレートを更に備え、延長部の第１の方向における他方側の端部は、ベースプレートの主面に沿って配置されてよい。この場合、延長部とベースプレートとの間の隙間を小さくする、または無くすことができるため、第２の主面側のシールド効果を高めることができる。
【０００９】
シールド構造において、延長部は、第１の方向における他方側の端部と、第２の方向における側縁部と、を有し、側縁部は、基板と端部との間において、第１の方向に沿って略直線状に延びてよい。このような構造を有する延長部は、基板にシールド部材を引っ掛けるためのフック状の部分とは異なり、スリット部付近での面積を広く確保することができるため、基板付近及び第２の主面側でのシールド効果を十分に発揮することができる。
【００１０】
シールド構造は、基板の第２の主面と対向し、基板を支持するベースプレートを更に備え、ベースプレートには、ベースプレートの主面から基板側へ立ち上がって延長部に沿って第２の方向に延びる突出部が形成され、突出部は、第１の方向及び第２の方向と交差する第３の方向において延長部と対向するように配置されてよい。この場合、ベースプレートの主面から立ち上がる突出部が、ベースプレートの主面と延長部との間の隙間を覆うように配置される。これにより、シールド効果を高めることができる。
【発明の効果】
【００１１】
本発明によれば、シールド効果を高めることができるシールド構造を提供できる。
【図面の簡単な説明】
【００１２】
【図１】本発明の実施形態に係るシールド構造が適用される電子ユニットを示す概略平面図である。
【図２】本発明の実施形態に係るシールド構造を示す概略平面図である。
【図３】シールド部材と基板の展開斜視図である。
【図４】（ａ）は図２のＩＶａ−ＩＶａ線に沿った断面図である。（ｂ）は図２のＩＶｂ−ＩＶｂ線に沿った断面図である。
【図５】変形例に係るシールド構造を示す断面図であって図４に対応する断面図である。
【発明を実施するための形態】
【００１３】
図１〜４を参照して、本発明の実施形態に係るシールド構造について説明する。図１は、本発明の実施形態に係るシールド構造が適用される電子ユニットを示す概略平面図である。図２は、本発明の実施形態に係るシールド構造を示す概略平面図である。図３は、シールド部材と基板の展開斜視図である。図４（ａ）は、図２のＩＶａ−ＩＶａ線に沿った断面図である。図４（ｂ）は、図２のＩＶｂ−ＩＶｂ線に沿った断面図である。
【００１４】
図１に示すように、電子ユニット１は、ベースプレート２に基板３を組み付ける事によって構成される。なお、ベースプレート２に対しては蓋体が設けられるが、当該蓋体は省略し、ベースプレート２内の基板３が見えるようにしている。電子ユニット１は、例えば、ＡＣ／ＤＣ電源やＤＣ／ＤＣコンバータなどのユニットである。
【００１５】
ベースプレート２は、基板３を支持し、基板３と対向するように広がる部材である。ベースプレート２は略矩形をなしている。ベースプレート２の四方の縁部には、当該ベースプレート２から立ち上がる壁部６Ａ，６Ｂ，６Ｃ，６Ｄが設けられる。なお、ベースプレート２が広がる方向に対して、Ｘ軸方向及びＹ軸方向（第２の方向）を設定する。また、ベースプレート２の厚さ方向にＺ軸方向（第１の方向）を設定する。Ｘ軸方向は、ベースプレート２の短辺が延びる方向に設定されている。Ｙ軸方向は、ベースプレート２の長辺が延びる方向に設定されている。従って、壁部６Ａ，６Ｂは、Ｘ軸方向において互いに対向している。壁部６ＡがＸ軸方向における負側に配置され、壁部６ＢがＸ軸方向における正側に配置される。壁部６Ｃ，６Ｄは、Ｙ軸方向において互いに対向している。壁部６ＣがＹ軸方向における負側に配置され、壁部６ＤがＹ軸方向における正側に配置される。壁部６Ａ，６Ｂ，６Ｃ，６Ｄは、Ｚ軸方向における正側へ立ち上がる。
【００１６】
基板３は、表面にパターンが形成され、当該パターンに対して電子部品が実装された電子回路を構成する。基板３は、Ｚ軸方向の正側にてベースプレート２と対向するように、Ｘ軸方向及びＹ軸方向に広がる。基板３は、矩形状の形状を有している。基板３は、Ｙ軸方向へ延びる端部３ａ，３ｂを有する。端部３ａはＸ軸方向の負側に配置され、端部３ｂはＸ軸方向の正側に配置される。基板３は、Ｘ軸方向へ延びる端部３ｃ，３ｄを有する。端部３ｃはＹ軸方向の負側に配置され、端部３ｄはＹ軸方向の正側に配置される。端部３ａ，３ｂ，３ｃ，３ｄは、ベースプレート２の壁部６Ａ，６Ｂ，６Ｃ，６Ｄと対向するように配置される。また、基板３は、Ｚ軸方向における正側の主面３ｅ（第１の主面）と、Ｚ軸方向における負側の主面３ｆ（第２の主面）と、を備える。
【００１７】
図１では、基板３及びベースプレート２に設けられた入力コネクタ部４（被保護部）及びシールド部材１０が示されている。また、基板３の実装部品にはノイズ発生部５が含まれる。基板３及び基板３周辺には他の電子部品が設けられているが、図１では省略されている。入力コネクタ部４は、基板３の端部３ｂと端部３ｄとの間の角部に設けられている。また、入力コネクタ部４は、シールド部材１０によって覆われている。これにより、シールド部材１０は、ノイズ発生部５で発生したノイズから、入力コネクタ部４をノイズ的に遮蔽（シールド）する。ノイズ発生部５は、ノイズを発生する電子部品によって構成される。具体的に、ノイズ発生部５は、電力半導体等の電子部品やトランスまたはインダクタ等の磁性部品などの部品によって構成される。ノイズ発生部５は、基板３の端部３ｄ付近に設けられている。ノイズ発生部５は、入力コネクタ部４からＸ軸方向において離間する位置に配置されている。
【００１８】
次に、図２〜図４を参照して、シールド構造１００について説明する。シールド構造１００は、ノイズ発生部５で発生したノイズから被保護部である入力コネクタ部４を保護する構造である。シールド構造１００は、上述のベースプレート２と、基板３と、入力コネクタ部４と、ノイズ発生部５と、シールド部材１０と、を備える。
【００１９】
図３に示すように、基板３は、端部３ｂと端部３ｄとの間の角部に、Ｌ字状の切欠部２１を有する。切欠部２１は、端部３ｂからＸ軸方向の負側へ向かって延びる辺部２１ａと、端部３ｄからＹ軸方向の正側へ向かって延びる辺部２１ｂと、を有する。
【００２０】
基板３は、スリット部２２を有する。スリット部２２は、辺部２１ａと辺部２１ｂとの交差部から、Ｙ軸方向の正側へ向かって延びる。スリット部２２は、主面２ｅから主面２ｆへ貫通している。スリット部２２は、シールド部材１０の後述の壁部１１を配置させるための部分である。すなわち、スリット部２２は、シールド部材１０を基板３に実装したときにおける、壁部１１に対応する位置に形成される。スリット部２２の幅方向の大きさは、壁部１１の厚さより大きい。ただし、スリット部２２に壁部１１を配置したときの、隙間の大きさは、ノイズの漏れを防止するために、壁部１１の両面の隙間を合算して２ｍｍ以下に設定される。
【００２１】
図２に示すように、入力コネクタ部４は、一対の端子部３１と、一対の接続部３２と、一対の端子部３３を備える。一対の端子部３１は、それぞれ基板３の切欠部２１の辺部２１ａ付近に設けられる。一対の端子部３３は、ベースプレート２のうち、切欠部２１の辺部２１ａとＹ軸方向の負側に対向位置に設けられる。一対の接続部３２は、ケーブル等で構成され、それぞれの端子部３１と端子部３３とを接続する。
【００２２】
図３に示すように、シールド部材１０は、Ｘ軸方向の負側に配置される壁部１１と、Ｘ軸方向の正側に配置される壁部１２と、Ｙ軸方向の負側に配置される壁部１３と、Ｙ軸方向の正側に配置される壁部１４と、Ｚ軸方向の正側に配置される上壁部１６と、を備える。壁部１１と壁部１２とは、Ｙ軸方向及びＺ軸方向に広がり、互いにＸ軸方向に離間した状態で配置されている。壁部１３と壁部１４とは、Ｘ軸方向及びＺ軸方向に広がり、互いにＹ軸方向に離間した状態で配置されている。上壁部１６は、各壁部１１，１２，１３，１４の上端部同士を連結する。また、シールド部材１０は、Ｚ軸方向の負側には壁部が設けられることなく開口部を有している。このシールド部材１０は、組み付け時においては、入力コネクタ部４を上側から覆うように取り付けられる。これにより、入力コネクタ部４は、各壁部１１，１２，１３，１４及び上壁部１６によって取り囲まれる。
【００２３】
次に、図２を参照して、入力コネクタ部４を覆った状態のシールド部材１０の他の部材との位置関係について説明する。Ｘ軸方向の負側の壁部１１は、基板３のスリット部２２と重なる位置であって、切欠部２１の辺部２１ｂと近接して対向する位置に配置される。Ｘ軸方向の正側の壁部１２は、基板３のＸ軸方向の正側の端部３ｂと近接した位置に配置される。Ｙ軸方向の負側の壁部１３は、切欠部２１の辺部２１ａ、入力コネクタ部４の端子部３３、及び基板３のＹ軸方向の負側の端部３ｄよりもＹ軸方向の負側へ離間した位置に配置される。Ｙ軸方向の正側の壁部１４は、入力コネクタ部４の端子部３１よりもＹ軸方向の正側に配置される。壁部１４は、スリット部２２のＹ軸方向の正側の端部２２ａと略同位置に配置される。
【００２４】
壁部１１のＹ軸方向の負側の端部付近には、ネジ止め部１７が設けられる。ネジ止め部１７は、壁部１１の下端部がＸ軸方向の負側へ屈曲して構成される。ネジ止め部１７は、ベースプレート２のボス部７へネジ止めされる。壁部１４のＸ軸方向の正側の端部付近には、ネジ止め部１８が設けられる。ネジ止め部１８は、壁部１４の下端部がＹ軸方向の正側へ屈曲して構成される。ネジ止め部１８は、ベースプレート２のボス部８へネジ止めされる。本構造によってシールド部材１０はベースプレート２と電気的に接続される。
【００２５】
図４に示すように、壁部１１，１２，１３，１４は、基板３の主面３ｅよりもＺ軸方向の正側へ向かって立ち上がるように構成される。なお、壁部１２，１３，１４のＺ軸方向の負側の端部は、基板３と略同位置、または基板３に近接する位置に配置される。
【００２６】
壁部１１は、基板３のスリット部２２を介して、主面３ｆよりも、Ｚ軸方向の負側へ延びる延長部２４を有する。延長部２４は、壁部１１のＺ軸方向の負側の端部付近の領域のうち、組み付け後において、基板３のＺ軸方向の正側の主面３ｅよりも、Ｚ軸方向の負側に存在する部分である（図３参照）。延長部２４が形成される箇所では、壁部１１は、上壁部１６からＺ軸方向の負側へ延びて、スリット部２２を通過して、主面３ｆよりもＺ軸方向の負側の位置まで延びる。これにより、壁部１１は、スリット部２２の内側面及び切欠部２１の辺部２１ｂ（図２参照）とＸ軸方向において対向するように配置される。このように、延長部２４が形成される箇所では、壁部１１は、基板３付近において、シールド部材１０の内側の空間と外側の空間とが連通するような隙間なく、空間（ノイズの伝播空間）を遮断することができる。
【００２７】
延長部２４は、Ｚ軸方向における負側の端部２４ａと、Ｙ軸方向における側縁部２４ｂ，２４ｃとを有する。延長部２４は、Ｙ軸方向の負側に側縁部２４ｂを有し、Ｙ軸方向の正側に側縁部２４ｃを有する。側縁部２４ｂは、ネジ止め部１７とＹ軸方向の正側において隣り合う位置に配置される。側縁部２４ｃは、壁部１４とＹ軸方向の負側において隣り合う位置に配置される。側縁部２４ｂは、Ｙ軸方向において、壁部１１の中心線ＣＬよりも壁部１３寄りの位置に配置される。側縁部２４ｃは、Ｙ軸方向において、壁部１１の中心線ＣＬよりも壁部１４寄りの位置に配置される。従って、延長部２４は、Ｙ軸方向において、壁部１１の半分以上、より好ましくは大半（例えば８０％以上、または９０％以上）の領域を占めている。
【００２８】
側縁部２４ｂ，２４ｃは、基板３と端部２４ａとの間において、Ｚ軸方向に沿って略直線状に延びる。すなわち、側縁部２４ｂ，２４ｃには、少なくとも基板３と端部２４ａとの間の領域では、中心線ＣＬ側へ窪むような凹部が形成されない。延長部２４は、基板３に対して係止可能なフック状の形状を有していない。従って、側縁部２４ｂ，２４ｃは、基板３の主面３ｆ側に周り込むことによって、当該主面３ｆとＺ軸方向に対向するような箇所を有していない。すなわち、壁部１１の下端にフック状のフック部を形成し、基板３のスリット部２２をＺ軸方向の正側から負側へフック部を通過させた後、当該フック部をＹ軸方向の正側へ移動させてスリット部２２の端部２２ａに引っ掛けた場合、当該フック部のような側縁部は、本実施形態における「Ｚ軸方向に沿って略直線状に延びる側縁部」には該当しないものとする。
【００２９】
延長部２４のＺ軸方向における負側の端部２４ａは、ベースプレート２の主面２ａに沿って配置される。ベースプレート２の主面２ａは、Ｘ軸方向及びＹ軸方向に広がる平面を有する。従って、延長部２４の端部２４ａは、主面２ａと略水平をなすようにＺ軸方向の正側で対向しながら、Ｙ軸方向に延びる。また、主面２ａに段差部や凹部などの形状変化している部分が形成されていた場合、延長部２４の端部２４ａは、当該形状変化に合わせた形状を有する。例えば、主面２ａに段差部が形成されていた場合、延長部２４の端部２４ａは、当該段差部に追従するように段差形状を有する。主面２ａに凹部が形成されていた場合、延長部２４の端部２４ａは、当該凹部に入りこむように、Ｚ軸方向の負側へ突出する凸部を有する。本実施形態では、図４（ｂ）に示すように、主面２ａに凸部４１が形成されている。延長部２４は、端部２４ａのうち、当該凸部４１に対応する位置に、当該凸部４１の形状に対応する凹部２５を有する。なお、延長部２４の端部２４ａは、主面２ａからＺ軸方向の負側へ僅かに離間しているが、主面２ａと当接していてもよい。
【００３０】
次に、本実施形態に係るシールド構造１００の作用・効果について説明する。
【００３１】
本実施形態に係るシールド構造１００は、Ｚ軸方向における正側の主面３ｅ、及びＺ軸方向における負側の主面３ｆを有する基板３と、ノイズを発生するノイズ発生部５と、ノイズから保護される被保護部である入力コネクタ部４と、入力コネクタ部４をノイズから保護するシールド部材１０と、を備えるシールド構造１００であって、シールド部材１０は、入力コネクタ部４とノイズ発生部５との間に、Ｚ軸方向における正側へ立ち上がると共に、Ｚ軸方向と交差するＹ軸方向に広がる壁部１１を有し、基板３は、壁部１１に対応する位置に、Ｙ軸方向に延びるスリット部２２を有し、壁部１１は、基板３のスリット部２２を通過して、主面３ｆよりも、Ｚ軸方向の負側へ延びる延長部２４を有する。
【００３２】
本実施形態に係るシールド構造１００では、シールド部材１０は、入力コネクタ部４とノイズ発生部５との間に、Ｚ軸方向における正側へ立ち上がると共に、Ｚ軸方向と交差するＹ軸方向に広がる壁部１１を有する。これにより、シールド部材１０は、基板３の主面３ｅ側にて、入力コネクタ部４をノイズから保護する。これに加え、壁部１１は、基板３のスリット部２２を通過して、主面３ｆよりも、Ｚ軸方向の負側へ延びる延長部２４を有する。これにより、壁部１１は、スリット部２２を介して基板３の主面３ｅ側から主面３ｆ側へ延長部２４を延ばすことにより、基板３付近において、基板３とシールド部材１０との間でＺ軸方向における隙間が形成されることを抑制できる。従って、入力コネクタ部４側にノイズの漏れが生じることを抑制できる。また、延長部２４によって、主面３ｆ側においてもシールド効果を得ることができる。以上により、シールド効果を高めることができる。
【００３３】
シールド構造１００は、基板３の主面３ｆと対向し、基板３を支持するベースプレート２を更に備え、延長部２４のＺ軸方向における負側の端部２４ａは、ベースプレート２の主面２ａに沿って配置される。この場合、延長部２４とベースプレート２との間の隙間を小さくする、または無くすことができるため、主面３ｆ側のシールド効果を高めることができる。
【００３４】
シールド構造１００において、延長部２４は、Ｚ方向における負側の端部２４ａと、Ｙ軸方向における側縁部２４ｂ，２４ｃと、を有し、側縁部２４ｂ，２４ｃは、基板３と端部２４ａとの間において、Ｚ軸方向に沿って略直線状に延びる。このような構造を有する延長部２４は、基板３にシールド部材１０を引っ掛けるためのフック状の部分とは異なり、スリット部２２付近でのＹ−Ｚ平面における面積を広く確保することができるため、基板３付近及び主面３ｆ側でのシールド効果を十分に発揮することができる。
【００３５】
本発明は、上述の実施形態に限定されるものではない。
【００３６】
上述の実施形態においては、被保護部として入力コネクタ部４を例示したが、ノイズ重畳される可能性がある箇所であれば、本発明のシールド構造を適用してよい。また、それに合わせて、シールド部材が配置される箇所やシールド部材の形状が適宜変更されてもよい。例えば、被保護部として、出力コネクタ部、又は端子台を採用してもよい。
【００３７】
上述の実施形態では、一つの壁部１１に対して、Ｙ軸方向に連続する一つの延長部２４が形成されていた。これに代えて、一つの壁部１１に対して複数の延長部を形成してもよい。例えば、図４（ｂ）の凹部２５に対応する部分を基板３の主面３ｅよりも高い位置に配置した場合、当該部分を境界として、Ｙ軸方向の負側と正側に二つの延長部を有することとなる。
【００３８】
図５に示すように、ベースプレート２には、ベースプレート２の主面２ａから基板３側へ立ち上がって延長部２４に沿ってＹ軸方向に延びる突出部５０が形成されてよい。この突出部５０は、Ｘ軸方向（第３の方向）において延長部２４と対向するように配置されている。この場合、ベースプレート２の主面２ａから立ち上がる突出部５０が、ベースプレート２の主面２ａと延長部２４の端部２４ａとの間の隙間を覆うように配置される。これにより、シールド効果を高めることができる。なお、突出部５０は、延長部２４のＹ軸方向における全域に対して設けられているが、延長部２４のＹ軸方向における一部の領域に対して設けられてもよい。また、突出部５０は、延長部２４のＸ軸方向の負側、すなわちシールド部材１０の外側に設けられているが、延長部２４のＸ軸方向の正側、すなわちシールド部材１０の内側に設けられてもよい。あるいは、突出部５０は、延長部２４に対してＸ軸方向の両側に設けられてもよい。また、突出部５０は、延長部２４と近接した位置にて、当該延長部２４とＸ軸方向に対向しているが、シールド効果に影響を及ぼさない範囲で、延長部２４との間にＸ軸方向の隙間が形成される位置に配置されてよい。なお、図５では、理解を容易とするために突出部５０がベースプレート２の主面２ａとは別体の部材として記載されているが、突出部５０が主面２ａと一体的に形成されていてもよい。
【符号の説明】
【００３９】
２…ベースプレート、２ａ…主面、３…基板、３ｅ…主面（第１の主面）、３ｆ…主面（第２の主面）、４…入力コネクタ部、５…ノイズ発生部、１１…壁部、２４…延長部、５０…突出部、１００…シールド構造。
【図１】
2020126971.tif 000003
【図２】
2020126971.tif 000004
【図３】
2020126971.tif 000005
【図４】
2020126971.tif 000006
【図５】
2020126971.tif 000007